(57)【特許請求の範囲】
【請求項１】
連続走行しているウェブの品質を検査する装置の性能を評価するための走行装置であって、
サンプルであるエンドレスウェブを走行させるトルクを発生させる駆動ロールと、
該駆動ロールの回転速度を制御する制御装置と、
該エンドレスウェブの走行をガイドするガイドロールとを具備することを特徴とする評価用走行装置。
【請求項２】
該ガイドロールのウェブ走行方向における位置を、該ガイドロールをスライドさせて調整するためのロールスライド調整部を有することを特徴とする請求項１の評価用走行装置。
【請求項３】
該ガイドロールをウェブ走行方向に沿って変位可能とするガイドレールと、該ガイドロールのウェブ走行方向における位置を微調整するための空気圧シリンダーを有することを特徴とする請求項１の評価用走行装置。
【請求項４】
該エンドレスウェブの走行パス面の両端部に取り付けるエンドレスウェブ蛇行防止用のガイドベルトを有することを特徴とする請求項１の評価用走行装置。
【請求項５】
該駆動ロールのロール表面が溝状の凹部を有することを特徴とする請求項１の評価用走行装置。
【請求項６】
該駆動ロールが細長い樽形状であることを特徴とする請求項１の評価用走行装置。
【請求項７】
該駆動ロールと該ガイドロールを同調させてベルト駆動させる手段を有することを特徴とする請求項１の評価用走行装置。
【請求項８】
該エンドレスウェブの走行面の両端部の位置に配置され、その上下方向位置が調整可能なフリーロールを有することを特徴とする請求項１の評価用走行装置。
【請求項９】
該駆動ロールの回転角度を検出する角度検出器と、該角度検出器で検出した回転角度データから得られた該エンドレスウェブの評価位置を表示する表示手段を有することを特徴とする請求項１の評価用走行装置。
【発明の詳細な説明】
【０００１】
【発明の属する技術分野】
本発明は、連続走行しているウェブの品質を検査するインライン計測装置や検査装置等の装置の性能を評価するための走行装置に関するものである。
【０００２】
【従来の技術】
連続走行している塗工液を塗布した支持体等のウェブの膜厚、塗布液の付着、欠陥等の管理は、インライン計測装置や検査装置（以下これらを総称して検査装置という）を用いて行っている。具体的には、ウェブの膜厚に関しては、例えば赤外線や放射線（β線）を利用してその膜厚値の測定を行っている。塗布液の付着に関しては、例えば赤外線付着量測定装置を利用して付着量が設定範囲内にあるかチェックしている。また、欠陥の管理に関しては、例えばＣＣＤカメラをセンサーとして製品の穴、キズ等の欠陥を調べ、ある大きさ以上の欠陥が所定個数以上ないかチェックしている。
【０００３】
上記のような検査装置の性能を評価する場合、従来は、その評価のために生産ラインでの製品の生産を停止し、評価のためのサンプルを生産ライン中に組み込み、評価を行っていた。
そのため、検査装置の性能評価の実施は、生産ライン稼働率を低下させ、生産性を損なう原因になっていた。また、評価のサンプルを実際の生産ライン中に組み込むため、サンプルが必要以上にボリュームが大きなものとなり、資源のムダが多かった。
【０００４】
【発明が解決しようとする課題】
本発明は、このような従来技術の問題点を解消し、生産性を低下させず、また資源をムダにすることなく、検査装置の評価を行うことができる検査装置性能評価用走行装置を提供することをその課題とする。
【０００５】
【課題を解決するための手段】
本発明によれば、上記課題を解決するため、連続走行しているウェブの品質を検査する装置の性能を評価するための走行装置であって、サンプルであるエンドレスウェブを走行させるトルクを発生させる駆動ロールと、該駆動ロールの回転速度を制御する制御装置と、該エンドレスウェブの走行をガイドするガイドロールとを具備することを特徴とする評価用走行装置が提供される。
また、本発明によれば、上記構成において、該ガイドロールのウェブ走行方向における位置を、該ガイドロールをスライドさせて調整するためのロールスライド調整部を有することを特徴とする評価用走行装置が提供される。
また、本発明によれば、上記構成において、該ガイドロールをウェブ走行方向に沿って変位可能とするガイドレールと、該ガイドロールのウェブ走行方向における位置を微調整するための空気圧シリンダーを有することを特徴とする評価用走行装置が提供される。
また、本発明によれば、上記構成において、該エンドレスウェブの走行パス面の両端部に取り付けるエンドレスウェブ蛇行防止用のガイドベルトを有することを特徴とする評価用走行装置が提供される。
また、本発明によれば、上記構成において、該駆動ロールのロール表面が溝状の凹部を有することを特徴とする評価用走行装置が提供される。
また、本発明によれば、上記構成において、該駆動ロールが細長い樽形状であることを特徴とする評価用走行装置が提供される。
また、本発明によれば、上記構成において、該駆動ロールと該ガイドロールを同調させてベルト駆動させる手段を有することを特徴とする評価用走行装置が提供される。
また、本発明によれば、上記構成において、該エンドレスウェブの走行面の両端部の位置に配置され、その上下方向位置が調整可能なフリーロールを有することを特徴とする評価用走行装置が提供される。
さらに、本発明によれば、上記構成において、該駆動ロールの回転角度を検出する角度検出器と、該角度検出器で検出した回転角度データから得られた該エンドレスウェブの評価位置を表示する表示手段を有することを特徴とする評価用走行装置が提供される。
【０００６】
【発明の実施の形態】
以下本発明を実施例に基づき詳細に説明する。
【０００７】
（実施例１）
本発明による評価用走行装置の第１実施例を図１に示す。図中１はサンプルであるエンドレスウェブであり、その寸法は図示のように、実際の生産ラインで用いるウェブに比べ、非常に小さいものとなっている。本実施例の装置は、エンドレスウェブ１を走行させるトルクを発生する駆動ロール３と、この駆動ロール３の回転速度を制御する制御装置１３と、制御装置１３の制御のもとに駆動力を駆動ロールに伝達するモータＭと、エンドレスウェブ１の走行をガイドするガイドロール２とから構成される。この走行装置の寸法は、図示のように、実際のラインの走行系に比べ、極めて小型となっている。また、駆動ロール３とガイドロール２は低慣性ロール化するためにその材質としてＡｌ等の軽量の材料を使用することが望ましい。
【０００８】
この走行装置を用いて検査装置の評価を行う場合、走行装置にエンドレスウェブ１を装架させ、連続走行させる。その走行速度は制御装置１３により任意の回転速度に設定することができる。
【０００９】
ここで、本実施例の走行装置を用いて行う検査装置の評価を従来方法と比較して述べる。
0003619977.tif 000002
0003619977.tif 000003
【００１０】
この走行装置によれば、被計測物や被検査物の評価したい位置を実際の生産工程の搬送速度と同等な速度あるいは任意の速度で繰り返し評価することができる上、評価の作業時間を大幅に短くすることができる。しかも、走行装置が極めてコンパクトで軽量のため、小規模の実験室内等で評価テストを行うことができる。また、生産ラインを停止させる必要がなくなるため、生産性を低下させず、また資源をムダにすることなく、検査装置の評価を行うことができるようになる。
【００１１】
（実施例２）
本発明による評価用走行装置の第２実施例を図２に示す。この走行装置は、図１の装置構成において、ガイドロール２の両端にロールスライド調整部４を設けたものである。このロールスライド調整部４は、図示のようにガイドロール２を支持する基台に細長のスロットを形成し、ガイドロール２の位置をスライドにより調整可能とし、調整された位置にボルト等の固定手段で固定するようにしてもよいし、その他の公知のスライド調整手段を用いてもよい。
速度を制御する制御装置１３と、ウェブ１の走行をガイドするガイドロール２と、そのガイドロール２の両端に配しているロールスライド調整部４で構成される評価用走行装置である。
このような構成にすると、実施例１の作用効果に加え、ロールスライド調整部４でガイドロール２をスライドすることでエンドレスウェブ１の走行方向の位置調整が行え、エンドレスウェブ１の走行方向のテンションを自在に調整でき、またエンドレスウェブ１が蛇行することなく安定な走行を保つことができる利点がある。
【００１２】
（実施例３）
本発明による評価用走行装置の第３実施例を図３に示す。この走行装置は、図１の装置構成において、ガイドロール２を支持する基台をスライドレール５上にスライド可能に取り付けるとともに、ガイドロール２の支持柱に空気圧シリンダー６の作動部先端を固定し、空気圧シリンダー６の空気圧力でガイドロール２を移動させ、エンドレスウェブ１の張力を制御するようにしたものである。
このような構成にすると、実施例１の作用効果に加え、空気圧シリンダー６による圧力調整によりエンドレスウェブ１の走行方向のテンションをより精密に調整でき、またエンドレスウェブ１が蛇行することなく安定な走行を保つことができる利点がある。
【００１３】
（実施例４）
本発明による評価用走行装置の第４実施例を図４に示す。この走行装置は、図１の装置構成において、エンドレスウェブ１の走行パス面の両端部に取り付けるガイドベルト７を有するものである。ガイドベルト７をエンドレスウェブ１の両端部に取り付ける方法としては、例えば貼り合わせ等の公知の手段を用いることができる。
このような構成にすると、実施例１の作用効果に加え、ガイドベルト７を介してガイドロール２が駆動ロール３と同調し、エンドレスウェブ１とガイドロール２の間に周速差がないため、エンドレスウェブ１が蛇行することなく安定な走行を保つことができる利点がある。
【００１４】
（実施例５）
本発明による評価用走行装置の第５実施例を図５に示す。この走行装置は、図１の装置構成において、駆動ロール３の代わりに、表面に溝形状の凹部を有する駆動ロール８を用いたものである。溝形状は図示のようにロール中央に対して対称なウォーム溝状とすることができる。もちろんその他の溝形状とすることもできる。
このような構成にすると、実施例１の作用効果に加え、駆動ロール８のエンドレスウェブ１に対する摩擦係数がより大きくなるため、エンドレスウェブ１を確実にロール回転力で走行させることができるようになり、また駆動ロール８とエンドレスウェブ１とのすべりによるエンドレスウェブ１のキズの発生がなくなり、さらにエンドレスウェブ１が蛇行することなく安定な走行を保つことができる利点がある。
【００１５】
（実施例６）
本発明による評価用走行装置の第６実施例を図６に示す。この走行装置は、図１の装置構成において、駆動ロール３の代わりに、細長い樽形状の駆動ロール９を用いたものである。
このような構成にすると、実施例１の作用効果に加え、駆動ロール９の形状が細長い樽形状であるため、ロール中央部のウェブテンションはロール端部のウェブテンションよりやや大きくなり、駆動ロール９とエンドレスウェブ１との間において走行時の空気のロール端部への抜けがしやすくなり、エンドレスウェブ１が蛇行することなく安定な走行を保つことができる利点がある。
【００１６】
（実施例７）
本発明による評価用走行装置の第７実施例を図７に示す。この走行装置は、図１の装置構成において、駆動ロール３とガイドロール２とをベルト駆動により同調駆動させたものである。図示の例では、駆動ロール３とガイドロール２にそれぞれプーリーを取り付け、２つのプーリーの間に駆動ベルト１０を装架させてある。
このような構成にすると、実施例１の作用効果に加え、ガイドロール２は駆動ベルト１０を介して駆動ロール３と同調して回転することができるため、ロール周速差がなくなり、エンドレスウェブ１が蛇行することなく安定な走行を保つことができる。
【００１７】
（実施例８）
本発明による評価用走行装置の第８実施例を図８に示す。この走行装置は、図１の装置構成において、エンドレスウェブ１の走行面の両端部の位置に、フリーロール１１を配置させたものである。このフリーロール１１は上下方向位置が調整可能となっている。
このような構成にすると、実施例１の作用効果に加え、エンドレスウェブ１は両端部をフリーロール１１の円周上に接しておりエンドレスウェブ１の接圧をフリーロール１１の移動で微調整することができるため、エンドレスウェブ１の両端部のテンションの精密な調整ができ、エンドレスウェブ１が蛇行することなく安定な走行を保つことができる利点がある。
【００１８】
本発明による評価用走行装置の第９実施例を図９に示す。この走行装置は、図１の装置構成において、駆動ロール３の回転角度を検出する角度検出器１２と、この角度検出器１２で検出した回転角度データから得られたエンドレスウェブ１の評価位置を表示する表示部（図示せず）を設けたものである。角度検出器１２としてはロータリーエンコーダー等公知のものを使用することができる。
このような構成にすると、実施例１の作用効果に加え、走行するエンドレスウェブ１の評価位置を角度検出器１２により走行中に検出表示できるため、エンドレスウェブ１の評価位置の確認ができ、１つの評価位置を繰り返し評価することが可能となる利点がある。
【００１９】
【発明の効果】
以上詳細に説明したように、本発明によれば、前記構成を採用したので、被計測物や被検査物を実際の生産工程の搬送速度と同等な速度あるいは任意の速度で繰り返し評価することができる上、評価の作業時間を大幅に短くすることができる。しかも、本発明の走行装置は極めてコンパクトで軽量のため、小規模の実験室内等で評価テストを行うことができる。また、生産ラインを停止させる必要がなくなるため、生産性を低下させず、また資源をムダにすることなく、検査装置の評価を行うことができるようになる。
【図面の簡単な説明】
【図１】本発明による評価用走行装置の第１実施例の構成説明図である。
【図２】本発明による評価用走行装置の第２実施例の構成説明図である。
【図３】本発明による評価用走行装置の第３実施例の構成説明図である。
【図４】本発明による評価用走行装置の第４実施例の構成説明図である。
【図５】本発明による評価用走行装置の第５実施例の構成説明図である。
【図６】本発明による評価用走行装置の第６実施例の構成説明図である。
【図７】本発明による評価用走行装置の第７実施例の構成説明図である。
【図８】本発明による評価用走行装置の第８実施例の構成説明図である。
【図９】本発明による評価用走行装置の第９実施例の構成説明図である。
【符号の説明】
１  エンドレスウェブ
２  ガイドロール
３  駆動ロール
４  ロールスライド調整部
５  スライドレール
６  空気圧シリンダー
７  ガイドベルト
８、９  駆動ロール
１０  駆動ベルト
１１  フリーロール
１２  角度検出器
１３  制御装置
【図１】
0003619977.tif 000004
【図２】
0003619977.tif 000005
【図３】
0003619977.tif 000006
【図４】
0003619977.tif 000007
【図５】
0003619977.tif 000008
【図６】
0003619977.tif 000009
【図７】
0003619977.tif 000010
【図８】
0003619977.tif 000011
【図９】
0003619977.tif 000012